(57)【要約】【課題】データファイルを印刷出力した作業者が適正か不適かを印刷結果により確認することができる画像形成装置を提供する。【解決手段】識別入力部１２１に入力された作業者の識別データＤを、データファイルＦの認証データＣで作業者認証部１２２が認証処理し、認証処理された識別データＤが適正か不適かの少なくとも一方に対応して結果データＲをデータファイルＦの本体データＢとともに印刷実行部１２３が印刷出力する。【選択図】図１
2007213162.tif 000002
【特許請求の範囲】
【請求項１】
印刷出力される本体データと印刷出力されない付加データとを有するデータファイルを印刷出力する画像形成装置であって、
前記データファイルの付加データに少なくとも認証データが内包されており、
作業者の識別データの入力を受け付ける識別入力部と、
前記作業者の識別データを前記データファイルの認証データで認証処理する作業者認証部と、
認証処理された前記識別データが適正か不適かの少なくとも一方に対応して結果データを前記データファイルの本体データとともに印刷出力する印刷実行部と、
を有している画像形成装置。
【請求項２】
印刷出力される本体データと印刷出力されない付加データとを有するデータファイルを外部のプリンタ装置に送信して印刷出力させる画像形成装置であって、
前記プリンタ装置に送信する前記データファイルの付加データに少なくとも認証データが内包されており、
作業者の識別データの入力を受け付ける識別入力部と、
前記作業者の識別データを前記データファイルの認証データで認証処理する作業者認証部と、
認証処理された前記識別データが適正か不適かの少なくとも一方に対応して結果データを前記データファイルの本体データとともに前記プリンタ装置に送信して印刷出力させる印刷実行部と、
を有している画像形成装置。
【請求項３】
印刷出力される本体データと印刷出力されない付加データとを有するデータファイルを外部のコンピュータ装置から受信して印刷出力する画像形成装置であって、
前記コンピュータ装置から受信する前記データファイルの付加データに少なくとも認証データが内包されており、
作業者の識別データの入力を受け付ける識別入力部と、
前記作業者の識別データを前記データファイルの認証データで認証処理する作業者認証部と、
認証処理された前記識別データが適正か不適かの少なくとも一方に対応して結果データを前記データファイルの本体データとともに印刷出力する印刷実行部と、
を有している画像形成装置。
【請求項４】
前記印刷実行部は、認証処理により前記識別データが適正と認証されると第一の前記結果データを印刷出力して不適と認証されると第二の前記結果データを印刷出力する請求項１ないし３の何れか一項に記載の画像形成装置。
【請求項５】
前記印刷実行部は、前記結果データを記憶しており、記憶している前記結果データを印刷出力する請求項１ないし４の何れか一項に記載の画像形成装置。
【請求項６】
前記データファイルの付加データに前記結果データも内包されており、
前記印刷実行部は、前記付加データに内包されている前記結果データを印刷出力する請求項１ないし４の何れか一項に記載の画像形成装置。
【請求項７】
前記データファイルの認証データに前記作業者の識別データも内包されており、
前記作業者認証部は、入力された前記識別データを前記データファイルの認証データに内包されているかで認証処理する請求項１ないし６の何れか一項に記載の画像形成装置。
【請求項８】
前記作業者認証部は、複数の前記識別データと複数の前記認証データとの対応関係が登録されており、入力された前記識別データと前記データファイルに付与されている前記認証データとを登録されている前記対応関係で認証処理する請求項１ないし６の何れか一項に記載の画像形成装置。
【請求項９】
印刷出力される本体データと印刷出力されない付加データとを有するデータファイルを外部のプリンタ装置に送信して印刷出力させる画像形成装置のためのコンピュータプログラムであって、
前記プリンタ装置に送信する前記データファイルの付加データに少なくとも認証データが内包されており、
作業者の識別データの入力を受け付けること、
前記作業者の識別データを前記データファイルの認証データで認証処理すること、
認証処理された前記識別データが適正か不適かの少なくとも一方に対応して結果データを前記データファイルの本体データとともに前記プリンタ装置に送信して印刷出力させること、
を前記画像形成装置に実行させるためのコンピュータプログラム。
【請求項１０】
印刷出力される本体データと印刷出力されない付加データとを有するデータファイルを外部のコンピュータ装置から受信して印刷出力する画像形成装置のためのコンピュータプログラムであって、
前記コンピュータ装置から受信する前記データファイルの付加データに少なくとも認証データが内包されており、
作業者の識別データの入力を受け付けること、
前記作業者の識別データを前記データファイルの認証データで認証処理すること、
認証処理された前記識別データが適正か不適かの少なくとも一方に対応して結果データを前記データファイルの本体データとともに印刷出力すること、
を前記画像形成装置に実行させるためのコンピュータプログラム。
【請求項１１】
印刷出力される本体データと印刷出力されない付加データとを有しており、請求項６に記載の画像形成装置で印刷出力されるデータファイルであって、
前記付加データに少なくとも前記認証データと前記結果データとが内包されているデータ構造のデータファイル。
【請求項１２】
前記付加データに請求項４に記載の第一／第二の前記結果データが内包されているデータ構造の請求項１１に記載のデータファイル。
【請求項１３】
前記認証結果に前記識別データが内包されているデータ構造の請求項１１または１２に記載のデータファイル。
【発明の詳細な説明】
【技術分野】
【０００１】
本発明は、データファイルを印刷出力する画像形成装置に関し、特に、印刷出力される本体データと印刷出力されない付加データとを有するデータファイルを印刷出力する画像形成装置に関する。
【背景技術】
【０００２】
文書データや画像データなどの本体データを有するデータファイルを、コンピュータシステムで管理することが一般的に実行されており、そのデータファイルに認証データを付加データとして埋め込むことにより、そのデータファイルの原本性を保証することも実施されている。
【０００３】
なお、上述のようなデータファイルはコンピュータ装置で管理されるが、そのコンピュータ装置がデータファイルをプリンタ装置に送信して印刷媒体に印刷出力することも可能である。
【０００４】
このようなシステムでは、例えば、コンピュータ装置がデータファイルを印刷データに変換してプリンタ装置に送信するので、プリンタ装置は受信した印刷データを印刷出力する。その場合、当然ながらデータファイルの本体データは印刷出力されるが、認証処理に利用される認証データは印刷出力されない。
【０００５】
なお、上述のように認証データが付与されているデータファイルは一般的に重要である。そこで、コンピュータ装置からプリンタ装置にデータファイルが認証データとともに送信されると、そのプリンタ装置が認証データでデータファイルの認証処理を実行し、その認証結果を認証マークなどとしてデータファイルとともに印刷出力する提案もある(例えば、特許文献１，２参照)。
【０００６】
また、上述のような認証データを機械可読の印刷データとして、データファイルの本体データとともに印刷出力しておくことも実施されている。この場合、印刷結果をスキャナ装置で読取走査し、認証データを複合して認証処理を実行することができる。
【０００７】
さらに、このようなスキャナ装置に作業者の識別データを入力させ、その識別データを読取画像から複合した認証データで認証処理し、作業者が不適と判定されると警告データを読取結果に付与して出力する提案もある(例えば、特許文献３参照)。
【特許文献１】特開２００２−３１６４６５号
【特許文献２】特開２００３−３４８０７９号
【特許文献３】特開２００３−１３４３２７号
【発明の開示】
【発明が解決しようとする課題】
【０００８】
上述した特許文献３の装置では、印刷画像から読取走査した認証データで作業者の識別データを認証処理し、作業者が不適と認証されると読取結果に警告データを付与して印刷出力することもできる。
【０００９】
しかし、上述した特許文献３の装置は、印刷画像をスキャナ装置で読取走査する作業者を、印刷画像から複合した認証データで認証処理するものであり、コンピュータ装置に保存されているデータファイルをプリンタ装置で印刷出力する作業者を、そのデータファイルの認証データで認証処理することはできない。
【課題を解決するための手段】
【００１０】
本発明の第一の画像形成装置は、印刷出力される本体データと印刷出力されない付加データとを有するデータファイルを印刷出力する画像形成装置であって、データファイルの付加データに少なくとも認証データが内包されており、作業者の識別データの入力を受け付ける識別入力部と、作業者の識別データをデータファイルの認証データで認証処理する作業者認証部と、認証処理された識別データが適正か不適かの少なくとも一方に対応して結果データをデータファイルの本体データとともに印刷出力する印刷実行部と、を有している。
【００１１】
本発明の第二の画像形成装置は、印刷出力される本体データと印刷出力されない付加データとを有するデータファイルを外部のプリンタ装置に送信して印刷出力させる画像形成装置であって、プリンタ装置に送信するデータファイルの付加データに少なくとも認証データが内包されており、作業者の識別データの入力を受け付ける識別入力部と、作業者の識別データをデータファイルの認証データで認証処理する作業者認証部と、認証処理された識別データが適正か不適かの少なくとも一方に対応して結果データをデータファイルの本体データとともにプリンタ装置に送信して印刷出力させる印刷実行部と、を有している。
【００１２】
本発明の第三の画像形成装置は、印刷出力される本体データと印刷出力されない付加データとを有するデータファイルを外部のコンピュータ装置から受信して印刷出力する画像形成装置であって、コンピュータ装置から受信するデータファイルの付加データに少なくとも認証データが内包されており、作業者の識別データの入力を受け付ける識別入力部と、作業者の識別データをデータファイルの認証データで認証処理する作業者認証部と、認証処理された識別データが適正か不適かの少なくとも一方に対応して結果データをデータファイルの本体データとともに印刷出力する印刷実行部と、を有している。
【００１３】
従って、本発明の画像形成装置では、印刷出力されるデータファイルの認証データにより、データファイルを印刷出力する作業者の識別データが認証処理され、その認証結果が結果データとして本体データとともに印刷出力される。
【００１４】
なお、本発明で云う各部は、その機能を実現するように形成されていれば良く、例えば、所定の機能を発揮する専用のハードウェア、所定の機能がコンピュータプログラムにより付与されたコンピュータ装置、コンピュータプログラムによりコンピュータ装置に実現された所定の機能、これらの任意の組み合わせ、等として実現することができる。
【００１５】
また、本発明で云う各種の構成要素は、かならずしも個々に独立した存在である必要はなく、複数の構成要素が１個の部材として形成されていること、１つの構成要素が複数の部材で形成されていること、ある構成要素が他の構成要素の一部であること、ある構成要素の一部と他の構成要素の一部とが重複していること、等も可能である。
【００１６】
また、本発明で云う画像形成装置は、コンピュータプログラムを読み取って対応するデータ処理を実行できるように、ＣＰＵ(Central Processing Unit)、ＲＯＭ(Read Only Memory)、ＲＡＭ(Random Access Memory)、Ｉ／Ｆ(Interface)ユニット、等の汎用デバイスで構築されたハードウェア、所定のデータ処理を実行するように構築された専用の論理回路、これらの組み合わせ、等として実施することが可能である。
【発明の効果】
【００１７】
本発明の画像形成装置では、作業者の識別データをデータファイルの認証データで認証処理し、認証処理された識別データが適正か不適かの少なくとも一方に対応して結果データをデータファイルの本体データとともに印刷出力することにより、データファイルを印刷出力した作業者が適正か不適かを印刷結果により確認することができる。
【発明を実施するための最良の形態】
【００１８】
本発明の実施の一形態を図面を参照して以下に説明する。ただし、本実施の形態に関して前述した一従来例と同一の部分は、同一の名称を使用して詳細な説明は省略する。
【００１９】
［実施の形態の構成］
【００２０】
本実施の形態の画像形成装置であるデータ処理システム１０００は、図２に示すように、コンピュータ装置１００とプリンタ装置２００を有しており、これらがＬＡＮ(Local Area Network)などで有線接続されている(図示せず)。
【００２１】
コンピュータ装置１００は、コンピュータの主体となるハードウェアとしてＣＰＵ１０１を有しており、このＣＰＵ１０１には、バスライン１０２により、ＲＯＭ１０３、ＲＡＭ１０４、ＨＤＤ１０５、ＦＤ１０６が交換自在に装填されるＦＤＤ１０７、ＣＤ−ＲＯＭ１０８が交換自在に装填されるＣＤドライブ１０９、キーボード１１０、マウス１１１、ディスプレイユニット１１２、Ｉ／Ｆユニット１１３、等のハードウェアが接続されている。
【００２２】
本形態のコンピュータ装置１００では、ＲＯＭ１０３、ＲＡＭ１０４、ＨＤＤ１０５、交換自在なＦＤ１０６、交換自在なＣＤ−ＲＯＭ１０８、等のハードウェアが情報記憶媒体に相当し、これらの少なくとも一個にＣＰＵ１０１のためのコンピュータプログラムおよびリソースがソフトウェアとして格納されている。
【００２３】
このようなソフトウェアはコンピュータ装置１００に事前にインストールされており、コンピュータ装置１００の起動時にＲＡＭ１０４に格納されてＣＰＵ１０１により読取自在となる。
【００２４】
このＣＰＵ１０１がコンピュータプログラムに対応して各種処理を実行することにより、本形態のデータ処理システム１０００は、図１に示すように、作業者の識別データＤの入力を受け付ける識別入力部１２１、作業者の識別データＤをデータファイルＦの認証データで認証処理する作業者認証部１２２、認証処理された識別データＤが適正か不適かの少なくとも一方に対応して結果データＲをデータファイルＦの本体データＢとともに印刷出力する印刷実行部１２３、等を論理的に有している。
【００２５】
なお、上述の各部１２１、１２２は、コンピュータプログラムに対応したコンピュータ装置１００の処理動作として実現されており、印刷実行部１２３は、コンピュータプログラムに対応したコンピュータ装置１００とプリンタ装置２００との協調動作としてデータ処理システム１０００に実現されている。
【００２６】
本形態のデータ処理システム１０００では、図３(ａ)に示すように、データファイルＦは、いわゆるｅ文書やＰＤＦ(Portable Document Format)データと同様に、本体データＢと付加データＳとを有するデータ構造となっている。
【００２７】
本体データＢは、文章データや画像データからなり、図４(ａ)に示すように、通常の処理で印刷出力される。付加データＳは、詳細には後述する認証データＣなどからなり、特別な処理を実行しないと印刷出力されない。
【００２８】
本形態では、コンピュータ装置１００を使用する作業者ごとに、少数のテキストデータからなるＩＤ(Identity)などとして識別データＤが規定されており、データファイルＦは、例えば、その本体データＢを作成した作業者の識別データＤが認証データＣに内包されている。
【００２９】
さらに、本形態のデータファイルＦは、付加データＳに結果データＲも内包されており、この結果データＲは、図４(ｂ)に示すように、認証処理された作業者の識別データＤが不適の場合に印刷出力されるウォータマークとして設定されている。
【００３０】
この結果データＲのウォータマークは、例えば、"この書類は作成者により印刷されたものではありません"などの警告ガイダンスからなり、合成される本体データＢを確認できるようにドットが拡散された状態で繰り返し印刷出力される。
【００３１】
本形態のコンピュータ装置１００では、識別入力部１２１は、例えば、作業者によるキーボード１１０の手動操作をＣＰＵ１０１がコンピュータプログラムに対応して認識することにより、作業者の識別データＤの入力を受け付ける。
【００３２】
作業者認証部１２２は、例えば、ＣＰＵ１０１が所定のデータ処理を実行することにより、作業者により印刷出力が指示されたデータファイルＦから付加データＳを検出し、この付加データＳから認証データＣを検出し、この認証データＣから識別データＤを検出し、このデータファイルＦの識別データＤと入力された識別データＤとを照合することにより認証処理を実行する。
【００３３】
印刷実行部１２３は、認証処理により識別データＤが一致して適正と判定されると、データファイルＦの本体データＢのみ印刷データに変換し、Ｉ／Ｆユニット１１３からプリンタ装置２００に送信する。識別データＤが一致せず不適と判定されると、データファイルＦの本体データＢと結果データＲとを印刷データに変換し、これらの印刷データを合成してからプリンタ装置２００に送信する。
【００３４】
上述のようなデータ処理システム１０００の各部１２１〜１２４は、必要によりキーボード１１０やＩ／Ｆユニット１１３等のハードウェアを利用して実現されるが、その主体はＲＡＭ１０４等の情報記憶媒体に格納されたコンピュータプログラムに対応してハードウェアであるＣＰＵ１０１が機能することにより実現されている。
【００３５】
このようなコンピュータプログラムは、例えば、キーボード１１０などによる作業者の識別データＤの入力を受け付けること、入力された識別データＤを印刷出力するデータファイルＦの識別データＤで認証処理すること、認証結果が適正であるとデータファイルＦの本体データＢのみプリンタ装置２００に送信して印刷出力させ、認証結果が不適であるとデータファイルＦの本体データＢと結果データＲとをプリンタ装置２００に送信して印刷出力させること、等の処理動作をＣＰＵ１０１等に実行させるためのソフトウェアとしてＲＡＭ１０４等の情報記憶媒体に格納されている。
【００３６】
［実施の形態の動作］
【００３７】
上述のような構成において、本実施の形態のデータ処理システム１０００では、例えば、認証データＣが付与されているデータファイルＦがコンピュータ装置１００に登録されており、そのデータファイルＦをコンピュータ装置１００への指示によりプリンタ装置２００に印刷出力させることができる。
【００３８】
例えば、作業者がコンピュータ装置１００を手動操作して所望のデータファイルＦを読み出し、そのデータファイルＦを印刷出力する場合、図５に示すように、作業者は読み出されているデータファイルＦの印刷出力をコンピュータ装置１００に指示する(ステップＳ１)。
【００３９】
すると、コンピュータ装置１００は、そのデータファイルＦに認証データＣが付与されているかを確認し(ステップＳ２)、付与されていない場合はデータファイルＦの本体データＢをビットマップなどの通常の印刷データに変換する(ステップＳ８)。この印刷データはコンピュータ装置１００からプリンタ装置２００に送信されるので(ステップＳ１２)、図４(ａ)に示すように、プリンタ装置２００はデータファイルＦの本体データＢを印刷出力する。
【００４０】
一方、データファイルＦに認証データＣが付与されていた場合(ステップＳ２)、コンピュータ装置１００は、"あなたの識別データＤを入力してください"などの入力ガイダンスをディスプレイユニット１１２に表示する(ステップＳ３)。
【００４１】
そこで、入力ガイダンスを確認した作業者がキーボード１１０の手動操作などで自身の識別データＤをコンピュータ装置１００に入力すると(ステップＳ４)、コンピュータ装置１００は、データファイルＦの認証データＣから識別データＤを検出し、このデータファイルＦの識別データＤと入力された識別データＤとを照合して認証処理を実行する(ステップＳ６)。
【００４２】
この認証処理により識別データＤが一致して適正と判定されると(ステップＳ７)、データファイルＦの本体データＢのみ印刷データに変換され(ステップＳ８)、Ｉ／Ｆユニット１１３からプリンタ装置２００に送信される(ステップＳ１２)。
【００４３】
このプリンタ装置２００は、受信した印刷データを印刷用紙などの印刷媒体に印刷出力するので、図４(ａ)に示すように、印刷媒体ＰにはデータファイルＦの本体データＢのみ印刷出力される。
【００４４】
一方、認証処理により識別データＤが一致せず不適と判定されると(ステップＳ７)、データファイルＦの本体データＢと結果データＲとが印刷データに各々変換される(ステップＳ９，Ｓ１０)。つぎに、これらの印刷データが合成されてから(ステップＳ１１)、プリンタ装置２００に送信されるので(ステップＳ１２)、プリンタ装置２００は、受信した印刷データを印刷用紙などの印刷媒体に印刷出力する。
【００４５】
本形態のコンピュータ装置１００では、結果データＲはウォータマークとして本体データＢに合成されるように設定されているので、図４(ｂ)に示すように、印刷媒体Ｐには本体データＢが結果データＲのウォータマークとともに印刷出力される。この結果データＲのウォータマークは、前述のように警告ガイダンスからなり、合成される本体データＢを確認できる状態で印刷出力される。
【００４６】
なお、本形態のコンピュータ装置１００は、識別データの入力ガイダンスをディスプレイユニット１１２に表示した状態から(ステップＳ３)、所定時間が経過しても作業者の識別データＤが入力されないと(ステップＳ４，Ｓ５)、作業者を不適と自動的に認証し、やはりデータファイルＦの本体データＢと結果データＲとを合成してプリンタ装置２００に印刷出力させる(ステップＳ９〜Ｓ１２)。
【００４７】
［実施の形態の効果］
【００４８】
本形態のデータ処理システム１０００では、上述のようにデータファイルＦを印刷出力させる作業者の識別データＤをデータファイルＦの認証データＣで認証処理し、認証処理された識別データＤが適正であればデータファイルＦの本体データＢのみ印刷出力するが、不適であれば本体データＢに結果データＲを合成して印刷出力するので、データファイルＦを印刷出力した作業者が適正か不適かを印刷結果により確認することができる。
【００４９】
しかも、データファイルＦに認証データＣとして作業者の識別データＤが設定されているので、コンピュータ装置１００が識別データＣをデータ管理している必要がなく、データファイルＦごとに作業者の適否を設定しておくことができる。
【００５０】
さらに、データファイルＦに結果データＲも設定されているので、コンピュータ装置１００が結果データＲを保持している必要がなく、複数種類の結果データＲを本体データＢの内容に対応させてデータファイルＦに選択的に設定しておくようなことも可能である。
【００５１】
なお、識別データＤと結果データＲとは、少数のテキストデータなどとして設定しておくことができるので、識別データＤと結果データＲのためにデータファイルＦのデータ容量が過剰に増大することはない。
【００５２】
また、本形態のデータ処理システム１０００では、上述のようにデータファイルＦに認証データＣが設定されていないと、本体データＢの印刷処理を自動的に実行するので、必要もなしに作業者に識別データＤの入力を要求することもない。
【００５３】
［実施の形態の変形例］
【００５４】
本発明は上記形態に限定されるものではなく、その要旨を逸脱しない範囲で各種の変形を許容する。例えば、上記形態では作業者が不適と認証された場合のみ結果データＲをデータファイルＦの本体データＢに合成して印刷出力することを例示したが、作業者が適正と認証された場合のみ結果データＲを本体データＢに合成して印刷出力することも可能である。
【００５５】
この場合、結果データＲは、例えば、"この書類は作成者により印刷されたものです"などの報告ガイダンスなどとして設定され、本体データＢを阻害しないように印刷媒体Ｐの上部や下部などに印刷出力することが好適である。
【００５６】
さらに、作業者の認証結果が適正か不適かに対応して、第一／第二の結果データＲを切り換えて印刷出力することも可能である。この場合、図３(ｂ)に示すように、データファイルＦに第一／第二の結果データＲを設定しておき、認証結果に対応して選択的に印刷出力することが好適である。
【００５７】
また、上記形態では結果データＲがデータファイルＦに設定されていることを例示したが、定型の結果データＲがコンピュータ装置１００に登録されていることも可能である。
【００５８】
さらに、認証結果の適正に対応した第一の結果データＲはコンピュータ装置１００に登録しておき、不適に対応した第二の結果データＲはデータファイルＦに設定しておくようなことも可能である。
【００５９】
また、コンピュータ装置１００にデフォルトの結果データＲを登録しておくとともに、任意のデータファイルＦに独自の結果データＲを設定しておき、データファイルＦに結果データＲが設定されているときは、その結果データＲをコンピュータ装置１００が選択し、設定されていないときは、デフォルトの結果データＲを選択するようなことも可能である。
【００６０】
さらに、上記形態ではデータファイルＦに一つの識別データＤが認証データＣとして設定されていることを想定したが、複数の識別データＤを認証データＣとしてデータファイルＦに設定しておくことも可能である。
【００６１】
また、上記形態ではデータファイルＦに認証データＣとして作業者の識別データＤが直接に設定されていることを例示したが、認証データＣは識別データＤを認証処理できるように設定してあれば良い。
【００６２】
例えば、多数の作業者が複数のグループに区分されており、そのグループごとに印刷出力の適否が規定されているような場合、作業者の識別データＤと認証データＣとにグループの識別データを内包させておくようなことも可能である。
【００６３】
さらに、上記形態ではデータファイルＦに認証データＣが登録されていることを例示したが、例えば、複数の識別データＤと複数の認証データＣとの対応関係をコンピュータ装置１００に登録しておき、入力された識別データＤとデータファイルＦに付与されている認証データＣとを登録されている対応関係で認証処理することも可能である。その場合、認証データＣはデータファイルＦの識別データで良いので、データファイルＦの容量を大幅に削減することができる。
【００６４】
また、上記形態では作業者が少数のテキストデータからなる自身のＩＤを識別データＤとして入力することを想定したが、例えば、識別データＤとしてＩＤとパスワードとを入力するようなことも可能である。その場合、ＩＤのみ、パスワードのみ、ＩＤとパスワードとの組み合わせ、などを認証データＣとして設定しておくことにより、各種の認証処理を実行することが可能となる。
【００６５】
さらに、上記形態では作業者が識別データＤをキーボード１１０の手動操作で入力することを例示したが、例えば、作業者の指紋走査や音声入力などの生体データを識別データＤとしてコンピュータ装置１００に入力することも可能である。その場合、認証データＣは、例えば、生体データから抽出した複数の特徴部分などとして設定しておくことが可能である。
【００６６】
また、上記形態ではコンピュータ装置１００の一連の動作を図５に基づいて具体的に説明したが、その一連の動作の順番は矛盾しない範囲で変更することが可能である。例えば、認証処理を実行してから本体データを印刷データに変換することを例示したが、本体データを印刷データに変換してから認証処理を実行することも可能である。
【００６７】
さらに、上記形態では作業者の識別データＤをデータファイルＦの認証データＣで認証処理することのみを例示したが、例えば、このような認証データＣに、いわゆる電子署名やタイムスタンプも内包させておき、作業者の識別データＤをデータファイルＦの認証データＣで認証処理するとともに、データファイルＦの正当性を認証データＣで認証処理するようなことも可能である。
【００６８】
また、上記形態ではＲＡＭ１０４等に格納されているコンピュータプログラムに対応してＣＰＵ１０１が動作することにより、コンピュータ装置１００の各種機能として各部が論理的に実現されることを例示した。しかし、このような各部の各々を固有のハードウェアとして形成することも可能であり、一部をソフトウェアとしてＲＡＭ１０４等に格納するとともに一部をハードウェアとして形成することも可能である。
【図面の簡単な説明】
【００６９】
【図１】本発明の実施の形態のデータ処理システムの論理構造を示す模式的なブロック図である。
【図２】データ処理システムの物理構造を示すブロック図である。
【図３】データファイルのデータ構造を示す模式図である。
【図４】データファイルの印刷結果を示す模式的な正面図である。
【図５】コンピュータ装置がデータファイルをプリンタ装置に印刷出力させる処理動作を示すフローチャートである。
【符号の説明】
【００７０】
１００    コンピュータ装置
１２１    識別入力部
１２２    作業者認証部
１２３    印刷実行部
２００    プリンタ装置
１０００    データ処理システム
【図１】
2007213162.tif 000003
【図２】
2007213162.tif 000004
【図３】
2007213162.tif 000005
【図４】
2007213162.tif 000006
【図５】
2007213162.tif 000007